(57)【特許請求の範囲】
【請求項１】
波形部が形成された外側導体と、内側導体と、該外側導体と該内側導体との間に設けられた誘電体スペーサとを備えた同軸ケーブル用のコネクタであって、前記外側導体は複数の波形部を有しており、
前記コネクタは、
前記波形部が形成された外側導体の端部の外面に取り付け可能な概ね円筒形の外側コネクタであって、前記外側導体の端部を越えて概ね軸線方向に突出している中空の延長部を備える外側コネクタと、
前記外側コネクタの前記中空の延長部内に配置される導電性の接触リングであって、前記外側コネクタ内で且つ前記外側コネクタに対して概ね軸線方向に移動して前記外側導体の端部に接触可能な、導電性の接触リングと、
前記外側コネクタの延長部上に嵌め込み可能な概ね円筒形の本体部材と、
を備え、
前記本体部材と前記外側コネクタとは、該本体部材を該外側コネクタに結合するための協働するねじ付き面を備えており、
前記本体部材は内部ボスを備えており、
前記本体部材が前記外側コネクタに螺合するとき、前記内部ボスは、前記接触リングに接触し、前記接触リングを前記外側導体の端部に対して軸線方向に押圧させ、これによって、前記波形部が形成された外側導体の端部を押しつぶして前記波形部が形成された外側導体の端部の複数の波形部を蛇腹状に軸線方向に圧縮することができ、
前記コネクタは、さらに、前記本体部材内に取り付けられる内側コネクタであって、前記本体部材が前記外側コネクタに螺合したとき、前記内側導体に接触可能な内側コネクタを備えており、
前記外側コネクタは、前記外側導体の波形部に係合するようになっている内面を有し、前記外側導体は螺旋状に波形部が形成されており、前記外側コネクタの前記内面が前記外側導体の螺旋状の波形部に整合するようにねじが形成されており、
前記接触リングと前記外側コネクタの前記延長部は、前記接触リングが前記外側導体の端部を押圧するとき、前記接触リングと前記外側コネクタとの間の相対的な回転を防止するための協働する面を有していることを特徴とするコネクタ。
【請求項２】
請求項１に記載のコネクタにおいて、
前記外側導体と前記本体部材は導電性材料から作られることを特徴とするコネクタ。
【請求項３】
請求項１に記載のコネクタにおいて、
前記内側コネクタは、前記内側導体の露出端部に嵌合し且つ摩擦係合する中空の円筒形部材を備えていることを特徴とするコネクタ。
【請求項４】
請求項１に記載のコネクタにおいて、
前記接触リングは複数のコーナー部を形成する非円形の外形を有しており、前記中空の延長部は、前記接触リングによって形成された前記コーナー部を受け入れ且つ案内する長手方向に伸長する内側の複数の溝を備えていることを特徴とするコネクタ。
【請求項５】
請求項１に記載のコネクタにおいて、
前記外側コネクタは、前記延長部の端部に設けられた、内側に伸長するリップ部を備えており、
前記リップ部は、前記延長部内の前記接触リングを捕捉し、また、前記外側コネクタが前記外側導体上を進むとき、前記延長部内にある前記接触リングの軸線方向の引き込み運動の制限を画定することによって、前記外側コネクタ内に所定長さの前記外側導体を位置付けることを特徴とするコネクタ。
【請求項６】
請求項５に記載のコネクタにおいて、
前記本体部材の内部ボスは、前記リップ部を通り過ぎて前記中空の延長部の内部へ長手方向に伸長し、これにより、前記本体部材が前記延長部に嵌め込まれたとき、前記接触リングに接触できることを特徴とするコネクタ。
【請求項７】
波形部が形成された外側導体と、内側導体と、前記外側導体と前記内側導体との間に設けられる誘電体スペーサとを備え、前記外側導体が複数の波形部を有している同軸ケーブルと、
コネクタと
の組合せであって、前記コネクタは、
前記外側導体の端部の外面に取り付け可能な概ね円筒形の外側コネクタであって、前記外側導体の端部を越えて概ね軸線方向に突出している中空の延長部を備える外側コネクタと、
前記外側コネクタの前記中空の延長部内に配置される導電性の接触リングであって、前記外側コネクタ内で且つ前記外側コネクタに対して概ね軸線方向に移動して前記外側導体の端部に接触可能な、導電性の接触リングと、
前記外側コネクタの延長部上に嵌め込み可能な概ね円筒形の本体部材と、
を備え、
前記本体部材と前記外側コネクタとは、該本体部材を該外側コネクタに結合するための協働するねじ付き面を備えており、
前記本体部材は内部ボスを備えており、前記本体部材が前記外側コネクタに螺合するとき、前記内部ボスは、前記接触リングに接触し、前記接触リングを前記外側導体の端部に対して軸線方向に押圧させ、これによって、前記波形部が形成された外側導体の端部を押しつぶして前記波形部が形成された外側導体の端部の複数の波形部を蛇腹状に軸線方向に圧縮することができ、
前記コネクタは、さらに、前記本体部材内に取り付けられる内側コネクタであって、前記本体部材が前記外側コネクタに螺合したとき、前記内側導体に接触可能な内側コネクタを備えており、
前記外側コネクタは、前記外側導体の波形部に係合するようになっている内面を有し、前記外側導体は螺旋状に波形部が形成されており、前記外側コネクタの前記内面が前記外側導体の螺旋状の波形部に整合するようにねじが形成され、
前記接触リングと前記外側コネクタの前記延長部は、前記接触リングが前記外側導体の端部を押圧するとき、前記接触リングと前記外側コネクタとの間の相対的な回転を防止するための協働する面を有している、組合せ。
【請求項８】
複数の波形部を有する外側導体と、内側導体と、該外側導体と該内側導体との間に設けられた誘電体スペーサとを備えた同軸ケーブル用のコネクタであって、前記コネクタは、
前記外側導体の端部の外面に取り付け可能な概ね円筒形の外側コネクタであって、前記外側導体の波形部に係合するようになっている内面を有し、前記外側導体は螺旋状に波形部が形成されており、前記外側コネクタの前記内面が前記外側導体の螺旋状の波形部に整合するようにねじが形成されている、外側コネクタと、
前記外側コネクタに入れ子式に協働可能な導電性の接触部材であって、前記外側コネクタに対して概ね軸線方向に移動して前記外側導体の端部に接触可能な導電性の接触部材と、
前記外側コネクタに嵌め込み可能な概ね円筒形の本体部材であって、前記接触部材に取り付けられると共に前記接触部材を前記外側導体の端部に対して軸線方向に押圧させて前記波形部が形成された前記外側導体の端部を押しつぶして前記波形部が形成された前記外側導体の端部の複数の波形部を蛇腹状に軸線方向に圧縮し、もって接触部材を該外側導体の端部と電気的に接触させる、本体部材と、
前記接触部材が前記外側導体の端部を押圧するとき、前記接触部材の前記外側コネクタに対する回転を防止する回転防止ロック手段と、
本体部材内に取り付けられる内側コネクタであって、前記本体部材が前記外側コネクタに螺合したとき、前記内側導体に接触可能な内側コネクタと、
を備えていることを特徴とするコネクタ。
【請求項９】
請求項８に記載のコネクタにおいて、
前記本体部材は、前記外側コネクタ及び前記接触部材の一方に取り付けられ且つ前記外側コネクタ及び前記接触部材の他方に螺合する外側スリーブであることを特徴とするコネクタ。
【請求項１０】
請求項９に記載のコネクタにおいて、
前記外側スリーブは、長手方向における前記外側コネクタと前記接触部材との間の相対移動を許容するが前記外側コネクタと前記接触部材との間の相対回転運動を防止する態様で、前記接触部材に取り付けられていることを特徴とするコネクタ。
【請求項１１】
請求項８に記載のコネクタにおいて、
前記接触部材は、前記外側導体の端部に電気的に接触する内側リングと、円筒形部を有するエルボ部材とを備えており、前記エルボ部材の円筒形部は、前記外側コネクタの一部を囲って、前記内側リングを回転させることなく、前記エルボ部材の角度位置の調整を可能とすることを特徴とするコネクタ。
【請求項１２】
請求項１１に記載のコネクタにおいて、
前記接触部材の円筒形部は、前記外側コネクタ上の一部に嵌め込まれており、前記外側コネクタと前記エルボ部材の円筒形部との対向面は、前記回転防止ロック手段を形成していることを特徴とするコネクタ。
【請求項１３】
請求項１２に記載のコネクタにおいて、
前記外側コネクタの外側周辺部は、非円形部を備えており、前記エルボ部材の円筒形部の内側周辺部は、前記長手方向に伸長する溝を備えていることを特徴とするコネクタ。
【請求項１４】
請求項１２に記載のコネクタにおいて、
前記外側コネクタと前記エルボ部材の円筒形部との前記対向面の一方は、複数のコーナー部を形成する非円形部を備えており、前記対向面の他方は、前記コーナー部を受け入れて、前記コーナー部の回転運動を防止しながら、前記コーナー部の長手方向の移動を可能にする、長手方向に伸長する複数の溝を備えていることを特徴とするコネクタ。
【請求項１５】
請求項１４に記載のコネクタにおいて、
前記コーナー部と前記溝は、前記外側コネクタと前記エルボ部材の円筒形部との周辺部に沿って、間隔をあけて設けられており、これにより、前記接触部材が、前記外側コネクタに関して種々の角度位置に割り出しできることを特徴とするコネクタ。
【請求項１６】
請求項１５に記載のコネクタにおいて、
前記コーナー部と前記溝とは、それぞれの周辺部の周囲に沿って等しく間隔をあけて設けられており、前記溝の数は、前記コーナー部の数の倍数になっており、前記倍数は整数であることを特徴とするコネクタ。
【発明の詳細な説明】
【０００１】
【発明の属する技術分野】
本願発明は、概ね、同軸ケーブル用のコネクタ(すなわち、同軸ケーブルコネクタ）に関し、特に、迅速且つ容易に取り付けできる改良されたコネクタに関する。
【０００２】
【従来の技術及び発明が解決しようとする課題】
本願発明の主な目的は、同軸ケーブルに迅速且つ容易に取付けできる改良された同軸ケーブルコネクタを提供することである。この点について、本願発明の１つの特徴の関連する目的は、同軸ケーブルに取り付けられるとき、鋸状の案内部を使用することなく、あるいは、コネクタの個々の部品を手動で位置決めすることなく、自己位置決めされるそのような改良されたコネクタを提供することである。
【０００３】
本願発明の１つの特徴の他の目的は、同軸ケーブルに取り付けて完全なコネクタアセンブリを形成するのに２つの部品（ピース）のみ必要なそのような改良されたコネクタを提供することである。
【０００４】
本願発明の他の目的は、従前のコネクタよりも、低コストで効率的且つ経済的に製造できる、そのような改良されたコネクタを提供することである。
【０００５】
本願発明のさらに他の目的は、コネクタの取付けをする前に必要な同軸ケーブルの準備を簡単且つ容易にする、そのような改良されたコネクタを提供することである。このようにして、関連する目的は、同軸ケーブルのトリム寸法(切り取り寸法）を、本願発明を具体化した全てのコネクタに関して標準化できるようにした、そのようなコネクタを提供することである。
【０００６】
本願発明の１つの特定の実施例の重要な目的は、エルボ部を有する改良された同軸ケーブルコネクタを提供することである。前記エルボ部によって、同軸ケーブルに対してある角度をなして方向決めされた装置に同軸ケーブルを接続することができる。一方、前記エルボ部は、この接続作業の間、同軸ケーブルの軸線の周囲で、任意の多数の異なった方位位置に対して割り出しすることができる。
【０００７】
本願発明の他の目的や効果は、下記の詳細な説明及び添付した図面から明らかになるであろう。
【０００８】
【課題を解決するための手段】
本願発明によれば、多くの前記目的は、改良された同軸ケーブルコネクタを提供することによって理解される。前記改良された同軸ケーブルコネクタは、概ね円筒形の外側コネクタを備えている。前記外側コネクタは、前記同軸ケーブルの、波形部が形成された外側導体の端部の外面に取り付けることができるようになっている。前記外側コネクタは、中空の延長部を備えている。前記中空の延長部は、前記外側導体の端部を越えて概ね軸線方向に突出している。前記同軸ケーブルコネクタは、また、前記外側コネクタの延長部の中空内部に配置された導電性接触リングを備えている。前記導電性接触リングは、前記外側コネクタ内で且つ前記外側コネクタに対して概ね軸線方向に移動し、これにより、前記外側導体の端部に接触できるように取り付けられている。前記同軸ケーブルコネクタは、また、前記外側コネクタの延長部上に嵌め込むことができる、概ね円筒形の本体部材を備えている。前記本体部材と前記外側コネクタは、当該２つの部材（すなわち、前記本体部材及び前記外側コネクタ）を結合するための、協働するねじ付き面を備えている。前記本体部材は、内部ボスを備えている。前記本体部材が前記外側コネクタに螺合するとき、前記内部ボスは、前記導電性接触リングに接触し、導電性接触リングを波形部が形成された前記外側導体の端部に対して軸線方向に押圧させることによって、波形部が形成された前記外側導体の端部を押しつぶして波形部が形成された外側導体の端部の複数の波形部を蛇腹状に軸線方向に圧縮することができるようになっている。前記同軸ケーブルコネクタは、さらに、本体部材内に取り付けられる内側コネクタを備えている。内側コネクタは、本体部材が前記外側コネクタに螺合するとき、前記内側導体に接触する。外側コネクタは、外側導体の波形部に係合するようになっている内面を有し、外側導体は螺旋状に波形部が形成されており、外側コネクタの前記内面が外側導体の螺旋状の波形部に整合するようにねじが形成されており、接触リングと外側コネクタの延長部は、接触リングが外側導体の端部を押圧するとき、接触リングと外側コネクタとの間の相対的な回転を防止するための協働する面を有している。
【０００９】
また、本願発明は、波形部が形成された外側導体と、内側導体と、前記外側導体と前記内側導体との間に設けられる誘電体スペーサとを備え、前記外側導体が複数の波形部を有している同軸ケーブルと、コネクタとの組合せを提供する。このコネクタは、前記外側導体の端部の外面に取り付け可能な概ね円筒形の外側コネクタであって、前記外側導体の端部を越えて概ね軸線方向に突出している中空の延長部を備える外側コネクタと、前記外側コネクタの前記中空の延長部内に配置される導電性の接触リングであって、前記外側コネクタ内で且つ前記外側コネクタに対して概ね軸線方向に移動して前記外側導体の端部に接触可能な、導電性の接触リングと、前記外側コネクタの延長部上に嵌め込み可能な概ね円筒形の本体部材と、を備える。前記本体部材と前記外側コネクタとは、該本体部材を該外側コネクタに結合するための協働するねじ付き面を備えており、前記本体部材は内部ボスを備えており、前記本体部材が前記外側コネクタに螺合するとき、前記内部ボスは、前記接触リングに接触し、前記接触リングを前記外側導体の端部に対して軸線方向に押圧させ、これによって、前記波形部が形成された外側導体の端部を押しつぶして前記波形部が形成された外側導体の端部の複数の波形部を蛇腹状に軸線方向に圧縮することができ、前記コネクタは、さらに、前記本体部材内に取り付けられる内側コネクタであって、前記本体部材が前記外側コネクタに螺合したとき、前記内側導体に接触可能な内側コネクタを備えており、前記外側コネクタは、前記外側導体の波形部に係合するようになっている内面を有し、前記外側導体は螺旋状に波形部が形成されており、前記外側コネクタの前記内面が前記外側導体の螺旋状の波形部に整合するようにねじが形成され、前記接触リングと前記外側コネクタの前記延長部は、前記接触リングが前記外側導体の端部を押圧するとき、前記接触リングと前記外側コネクタとの間の相対的な回転を防止するための協働する面を有している。
【００１０】
さらに、本願発明は、複数の波形部を有する外側導体と、内側導体と、該外側導体と該内側導体との間に設けられた誘電体スペーサとを備えた同軸ケーブル用のコネクタを提供する。このコネクタは、前記外側導体の端部の外面に取り付け可能な概ね円筒形の外側コネクタであって、前記外側導体の波形部に係合するようになっている内面を有し、前記外側導体は螺旋状に波形部が形成されており、前記外側コネクタの前記内面が前記外側導体の螺旋状の波形部に整合するようにねじが形成されている、外側コネクタと、前記外側コネクタに入れ子式に協働可能な導電性の接触部材であって、前記外側コネクタに対して概ね軸線方向に移動して前記外側導体の端部に接触可能な導電性の接触部材と、前記外側コネクタに嵌め込み可能な概ね円筒形の本体部材であって、前記接触部材に取り付けられると共に前記接触部材を前記外側導体の端部に対して軸線方向に押圧させて前記波形部が形成された前記外側導体の端部を押しつぶして前記波形部が形成された前記外側導体の端部の複数の波形部を蛇腹状に軸線方向に圧縮し、もって接触部材を該外側導体の端部と電気的に接触させる、本体部材と、前記接触部材が前記外側導体の端部を押圧するとき、前記接触部材の前記外側コネクタに対する回転を防止する回転防止ロック手段と、本体部材内に取り付けられる内側コネクタであって、前記本体部材が前記外側コネクタに螺合したとき、前記内側導体に接触可能な内側コネクタと、を備えている。
【００１１】
【発明の実施の形態】
本願発明は種々の変形や代替的な形態で実施できるが、本願発明の特定の実施例を、図面の例によって示し、詳細に説明する。しかしながら、本願発明を説明した特定の形態に限定する意図はなく、むしろ、本願発明は、請求の範囲によって定義した本願発明の精神及び範囲内に入る全ての変形物、均等物、及び代替物に及ぶということを理解すべきである。
【００１２】
図面に戻って、まず図１及び図２を参照すると、同軸ケーブル１０用のコネクタアセンブリが示されている。同軸ケーブル１０は、螺旋状で波形の外側導体１１を備えている。外側導体１１は、誘電体スペーサ（図示せず）によって、内側導体１２から同軸状に間隔をあけて設けられている。コネクタアセンブリに取り付けることができるように同軸ケーブル１０を準備するために、同軸ケーブル１０の端が、同軸ケーブル１０の軸線に直交する平面に沿って切断され、次いで、外側導体１１と誘電体スペーサが、第２の直交平面に沿って切断され、同軸ケーブル１０の端で露出する短い長さ（例えば、０．２５インチ）の内側導体１２が残されている。金属製の外側導体１１及び内側導体１２の切断端に形成されるばりや凹凸のあるエッジを取り除いて、コネクタとの干渉を避けることができるようにすることが好ましい。外側導体１１の外面は、通常、プラスチック製の外被１４で覆われている。プラスチック製の外被１４は、コネクタアセンブリを受け入れることができる十分な長さに沿って、外側導体１１の端から切り取られている。
【００１３】
通常の内側コネクタ１５が、同軸ケーブル１０の内側導体１２に電気的に接触する。内側コネクタ１５は、内側導体１２のうち露出した部分のほぼ全体に摺動摩擦係合して、内側導体１２に嵌め込まれている。内側コネクタ１５の頭部１６は、通常のコネクタの雄型部を形成している。
【００１４】
同軸ケーブルに取り付けられるコネクタアセンブリの第１の部分は、外側コネクタ２０である。外側コネクタ２０は、ねじ付きの内面２１を備えている。ねじ付きの内面２１は、外側導体１１の螺旋状の波形部と整合している。したがって、外側コネクタ２０の内面が外側導体１１の切断端１３（図８参照）に係合するまで、外側コネクタ２０は、外側導体１１に螺合することができる。後で詳細に説明するように、外側導体１１の切断端１３が、導電性を有する真鍮（黄銅）製の接触リング２２に係合するとき、外側導体１１と外側コネクタ２０との間の最初の接触が生じる。接触リング２２は、外側コネクタ２０の円筒形の延長部２３で保持されている。
【００１５】
接触リング２２と外側導体１１の端部とが最初に係合した後に、同軸ケーブル１０上で外側コネクタ２０が継続して進められ、これによって、接触リング２２が、延長部２３の端部に設けられた内側リップ部２４にしっかりと押圧される。延長部２３によって形成されたキャビティ内で接触リング２２の回転を防止し、それによって、外側コネクタ２０内での有害なケーブル回転を防止するために、接触リング２２と延長部２３の内面とが、かみ合いによって回転を防止する回転防止用のかみ合い面を形成している。具体的に説明すると、接触リング２２は６角形となっており、円筒形の延長部２３の内面は、６角形の接触リング２２の６つのコーナー部と嵌合する長尺状の６つの溝２５を形成している。したがって、接触リング２２は、延長部２３内で長手方向に摺動できるが、外側コネクタ２０に対して回転できないようになっている。
【００１６】
コネクタアセンブリの取付けを完了するために、円筒形で段付きの本体部材３０が、外側コネクタ２０に螺合する。この本体部材３０は、誘電体スペーサ３２が内側コネクタ１５と本体部材３０とを絶縁している状態で、内側コネクタ１５を支持している。本体部材３０の縮径端部が、カップリングナット３１を支持している。カップリングナット３１は、ばね保持リング３１ａによって本体部材３０に固定されている。ばね保持リング３１ａは、カップリングナット３１が本体部材３０に対して自由に回転できる状態で、本体部材３０に係止されたカップリングナット３１を保持している。ガスケット３３が、カップリングナット３１と本体部材３０の平坦な端面との間で捕捉され、嵌合コネクタに対して絶縁された密封面を構成できるようになっている。
【００１７】
接触リング２２を引き付けて外側導体１１の端部にしっかりと接触させるために、外側コネクタ２０と本体部材３０とは、協働するねじ付き面２６及び３４を備えている。したがって、本体部材３０が外側コネクタ２０に螺合したとき、２つの部材（すなわち、本体部材３０と外側コネクタ２０）は、軸線方向において互いに対して嵌め込まれ、接触リング２２が、外側導体１１の切断端１３に押圧される。
【００１８】
本体部材３０が外側コネクタ２０に螺合したとき、本体部材３０によって形成された内部ボス３５が接触リング２２に係合し、接触リング２２を外側導体１１の切断端１３に対して押圧する。次いで、外側コネクタ２０上で本体部材３０をさらに進めることによって、接触リング２２が、延長部２３によって形成されたキャビティを通って長手方向に押される。それによって、延長部２３内に設けられた外側導体１１の前記部分の波形部が押しつぶされる。図１に図示されたように、外側導体１１の押しつぶされた部分が、接触リング２２と、外側コネクタ２０の内部ねじ付きセグメント（内部ねじ付き部分）との間でしっかりと圧縮されるまで、接触リング２２の前進は継続する。これにより、外側導体１１と、接触リング２２と、本体部材３０との間で、電気的な接触がしっかりと行われる。接触リング２２の内径は、外側導体１１の小さい方の内径とほぼ同じになっていることが好ましい。これによって、接触リング２２は、外側導体１１の押しつぶされた端部の最大面積と確実に接触できる。
【００１９】
内部ボス３５を含む本体部材３０全体は、接触リング２２を前進移動させている間、回転させられるが、接触リング２２と外側コネクタ２０との間の回転防止ロック部によって、接触リング２２の回転が防止される。さらに、これによって、有害となる同軸ケーブル１０の回転も防止される。同軸ケーブル１０を回転させると有害になるのは、同軸ケーブル１０を回転させると、同軸ケーブル１０の一部が外側コネクタ２０から引き抜かれる可能性があるからである。
【００２０】
Ｏリング４０が吸湿防止材を構成している。Ｏリング４０は、外側コネクタ２０及び本体部材３０の対向面の間に設けられている。
【００２１】
同軸ケーブル１０と嵌合コネクタとの間のインピーダンス整合を維持するために、導電性の接触リング２２と本体部材３０とは、（当該技術で周知な）下記の式を満たす内部寸法で構成されている。
【００２２】
Ｚｏ＝１３８ｌｏｇ（Ｄ／ｄ）／ｅr1/2
ここで、
Ｚｏ＝同軸コネクタの所望のインピーダンス
Ｄ  ＝導電性のコネクタ要素の内径
ｄ  ＝内側導体１２の直径
ｅr ＝誘電体スペーサ３２（換言すれば、誘電体スリーブ）の比誘電率
【００２３】
本願発明を具体化した他の実施例に係わるコネクタ５０が、図１０ないし図２０に図示されている。コネクタ５０は、第１の同軸ケーブルを、該第１の同軸ケーブルの軸線に対してある角度をなして方向決めされた第２のケーブルまたは他の装置に接続するのに使用できるようにしたものである。このようにして、コネクタ５０は、外側のエルボ部材５１を備えている。外側のエルボ部材５１は、内側リング５２をも含む２部材接触部品の一方の部材である。内側リング５２は、同軸ケーブルの外側導体の端部（図示せず）と接触しており、また、外側のエルボ部材５１と電気的に接触している。図示した実施例において、外側のエルボ部材５１は、９０°のＬ字継手となっている。すなわち、エルボ部材５１の一端側にある円筒形セクション５１ａの軸線と、エルボ部材５１の他端側にある円筒形セクション５１ｂの軸線とは、互いに対して直交している。
【００２４】
図１０ー図２０の実施例の外側コネクタ６０は、外側コネクタ６０がねじ付きの内面６１ａを備え外側コネクタ２０がねじ付きの内面２１を備えるという点において、図１ー図９の実施例の外側コネクタ２０と同様になっている。ねじ付きの内面６１ａまたは２１は、同軸ケーブルの外側導体１１の螺旋状の波形部に整合する。従って、外側コネクタ６０は、同軸ケーブルの外側導体１１に螺合できる。外側コネクタ６０の内面と外側導体１１の外面との間に吸湿防止材を設けるために、ガスケット６１が、外側導体１１の波形部に嵌合する波形面の後ろで、外側コネクタ６０の円筒形部内に位置決めされている。ガスケット６１は、外側導体１１の螺旋状の波形部に整合する波形付きの内面を備えている。外側コネクタ６０が外側導体１１に螺合した時、ガスケット６１はわずかに圧縮され、その結果、ガスケット６１は、外側導体１１の外面と外側コネクタ６０の内面とをしっかりと押圧する。外側コネクタ６０の端部６２は、わずかに増加した内径を備えている。それによって、端部６２は、同軸ケーブルのポリマー製の外被の端に嵌合できるようになっている。
【００２５】
外側コネクタ６０の軸線の周りで種々の角度位置に外側のエルボ部材５１を位置決めできるようにするために、外側コネクタ６０の外面は、６角形のセクション６３を備えている。外側のエルボ部材５１の入れ子式円筒形セクション５１ａの内面には、多数のコーナー部を備えたソケット５３が形成されている。ソケット５３は、外側コネクタ６０の６角形のセクション（換言すれば、６角形の面）６３に噛合できるように構成されている。図示された実施例において、ソケット５３は、１８個のコーナ部を形成している。その結果、６角形のセクション６３は、１８箇所の異なった角度位置で（すなわち、２０°増分する位置で）、ソケット５３を受け入れることができるようになっている。それによって、エルボ部材５１は、外側コネクタ６０に対して１８箇所の異なった角度位置のいずれかで取り付けることができる。なお、ロック用の非円形セクション（換言すれば、ロック用の非円形面）６３とソケット５３とに設けられるコーナー部の数は、変えることができ、これによって、所望の数の異なった角度位置を構成することができる。しかし、ソケット５３のコーナー部の数は、ロック用の非円形セクション６３のコーナー部の数の倍数（整数）であることが好ましい。
【００２６】
外側のエルボ部材５１と外側コネクタ６０とが互いに対して嵌め込まれる時、内側リング５２は、外側コネクタ６０の内側に嵌め込まれ、同軸ケーブルの外側導体１１の露出端に係合する。内側リング５２を回転させることなしに、外側のエルボ部材５１を回転させて割出しを行うことができるようにするために、外側のエルボ部材５１と内側リング５２とは、互いに対して自由に回転できるようになっている。したがって、外側コネクタ６０に対して長手方向に外側のエルボ部材５１を移動させることによって、内側リング５２は、前進して、同軸ケーブルの外側導体の端部に係合する。外側コネクタ６０の外面に形成した溝にはＯリング５４が着座されており、これによって、外側のエルボ部材５１と外側コネクタ６０との間に吸湿防止材が設けられている。
【００２７】
外側のエルボ部材５１と外側コネクタ６０とを入れ子式に移動させるために、外側スリーブ７０の一端が外側のエルボ部材５１に取り付けられ、外側スリーブ７０の他端が外側コネクタ６０の外面に設けられた隆起したねじ付き部６４に螺合している。その結果外側スリーブ７０を回転させることによって、外側のエルボ部材５１と外側コネクタ６０とが互いに対して入れ子式に移動する。そして、この入れ子式の運動が前進方向に行われたとき、内側リング５２も、同軸ケーブルの外側導体の端に向けて進み且つ当該端を押圧する。内側リング５２のこの前進運動によって、図１ー図９のコネクタアセンブリに関連して説明したのと同じ態様で、外側コネクタ６０の内側ねじ付き部を越えて伸長する外側導体１１の長さ方向における波形部が押しつぶされる。これは、図１０及び図１１に最も良く示されている。図１０は、内側リング５２が引き込み位置にある状態で、完全に組み立てられたコネクタを示しており、図１１は、内側リング５２が前進位置にある状態で、完全に組み立てられたコネクタを示している。
【００２８】
図１０−図２０の実施例における内側コネクタ８０は、また、９０°エルボの形状になっている。内側コネクタ８０は、一対の誘電体スリーブ８１及び８２によって、外側のエルボ部材５１から分離されている。同軸ケーブルの内側導体の露出端は、中空の円筒形部８３に嵌入している。図示の実施例においては、中空の円筒形部８３には、複数の指状のばねを形成するようにスロットが設けられ、これによって、内側導体を把持できるようになっている。内側コネクタの他端は、標準の雄型の嵌合部８４で終端になっている。雄型の嵌合部８４は、同軸ケーブルに取り付け可能な装置に、協働して嵌合できるようになっている。標準の結合ナット８５が、通常のばね保持リング８６によって外側のエルボ部材５１に固定されている。ばね保持リング８６によって、外側のエルボ部材５１上で結合ナット８５が自由に回転できる一方、結合ナット８５が外側のエルボ部材５１に保持されている。
【００２９】
本願発明の図示した実施例の前記詳細な記述から理解できるように、本願発明の改良されたコネクタアセンブリは、容易且つ迅速に取り付けることができる。これらの改良されたコネクタが、同軸ケーブルに取り付けられるとき、鋸状の案内部を使用することなく、あるいは、コネクタの個々の部品を手動で位置決めすることなく、自己位置決めされる。上述した第１の好適な実施例は、同軸ケーブルに取り付けて完全なコネクタアセンブリを形成するのに２つの部品（ピース）のみ必要になっている。第２の好適な実施例は、同軸ケーブル上の種々の角度位置でコネクタを方向決めできる。両コネクタとも、同軸ケーブルに関する他の類似するほとんどのコネクタよりも、低コストで効率的且つ経済的に製造できる。
【００３０】
本願発明のコネクタは、コネクタの取付けをする前に必要な同軸ケーブルの準備を簡単且つ容易にすることができ、これによって、同軸ケーブルのトリム寸法を、本願発明を具体化した全てのコネクタに関して標準化できる。
【図面の簡単な説明】
【図１】図１は、同軸ケーブルの端部に完全に組み付けられた、本願発明を具体化したコネクタアセンブリの第１の実施例の一部を破断した側面図である。
【図２】図２は、図１のコネクタアセンブリの外側コネクタの縦断面図である。
【図３】図３は、図２の外側コネクタの端面図である。
【図４】図４は、図１のコネクタアセンブリの導電性接触リングの端面図である。
【図５】図５は、図４の導電性接触リングの中央部に沿う縦断面図である。
【図６】図６は、図１のコネクタアセンブリの、外側コネクタ及び導電性接触リングからなるサブアセンブリの部分断面図である。
【図７】図７は、図６サブアセンブリの端面図である。
【図８】図８は、同軸ケーブルの端部に完全に組み付けられた、図６及び図７のサブアセンブリの、一部を破断した側面図である。
【図９】図９は、図１のコネクタアセンブリの、内側コネクタ及び本体部材からなるサブアセンブリの、一部を破断した側面図である。
【図１０】図１０は、導電性接触リングが引き込み位置にある状態で完全に組み付けられた、本願発明を具体化したコネクタアセンブリの第２の実施例に係わる、一部破断した側面図である。
【図１１】図１１は、導電性接触リングが前進した位置にある状態の、図１０と同じ側面図である。
【図１２】図１２は、図１４の線１２−１２に沿って取った、図１０及び図１１のコネクタアセンブリの外側コネクタの縦断面図である。
【図１３】図１３は、図１２に示された外側コネクタの右端部の端面図である。
【図１４】図１４は、図１２に示された外側コネクタの左端部の端面図である。
【図１５】図１５は、図１０及び図１１のコネクタアセンブリのエルボ部材の縦断面図である。
【図１６】図１６は、図１５に示されたエルボ部材の側面図である。
【図１７】図１７は、図１６に示されたエルボ部材の右端部の端面図である。
【図１８】図１８は、図１６に示されたエルボ部材の左端部の端面図である。
【図１９】図１９は、図１０及び図１１のコネクタアセンブリの外側スリーブの縦断面図である。
【図２０】図２０は、図１９に示された外側スリーブの右端部の端面図である。
【符号の説明】
１０  同軸ケーブル                １１  外側導体
１２  内側導体                    １３  切断端
１４  プラスチック製の外被        １５  内側コネクタ
１６  頭部                        ２０  外側コネクタ
２１  ねじ付きの内面              ２２  接触リング
２３  延長部                      ２４  内側リップ部
２５  長尺状の６つの溝            ２６  協働するねじ付き面
３０  本体部材                    ３１  カップリングナット
３２  誘電体スペーサ              ３１ａ  ばね保持リング
３４  協働するねじ付き面          ３５  内部ボス
４０  Ｏリング                    ５０  コネクタ
５１  外側のエルボ部材            ５１ａ  円筒形セクション
５１ｂ  円筒形セクション          ６０  外側コネクタ
６１  ガスケット                  ６１ａ  ねじ付きの内面
６２  端部
６３  ６角形のセクション（ロック用の非円形セクション）
６４  隆起したねじ付き部          ７０  外側スリーブ
８０  内側コネクタ                ８１  誘電体スリーブ
８２  誘電体スリーブ              ８３  中空の円筒形部
８４  雄型の嵌合部                ８５  結合ナット
８６  ばね保持リング
【図１】
0004763865.tif 000002
【図２】
0004763865.tif 000003
【図３】
0004763865.tif 000004
【図４】
0004763865.tif 000005
【図５】
0004763865.tif 000006
【図６】
0004763865.tif 000007
【図７】
0004763865.tif 000008
【図８】
0004763865.tif 000009
【図９】
0004763865.tif 000010
【図１０】
0004763865.tif 000011
【図１１】
0004763865.tif 000012
【図１２】
0004763865.tif 000013
【図１３】
0004763865.tif 000014
【図１４】
0004763865.tif 000015
【図１５】
0004763865.tif 000016
【図１６】
0004763865.tif 000017
【図１７】
0004763865.tif 000018
【図１８】
0004763865.tif 000019
【図１９】
0004763865.tif 000020
【図２０】
0004763865.tif 000021